(57)【特許請求の範囲】
【請求項１】
ケース本体（１０）と蓋体（１１）とからなり、ケース前部にディスクカートリッジ（１）の出入口（１２）が開口してある収納ケースであって、
ケース本体（１０）は、底壁（１４）と、左右一対の側壁（１５・１５）と、底壁（１４）の後縁に立設されて、ディスクカートリッジ（１）のケース後方への移動を規制する後壁（１６）とを有して、上面および前面が開口しており、
蓋体（１１）は、ケース本体（１０）の開口上面を閉止する主面壁（１８）と、主面壁（１８）の左右両側の下面側に突設した左右一対の脚壁（１９）とを有し、
出入口（１２）は、ケース前面で開口する第１開口（１２ａ）と、第１開口（１２ａ）に連続してケース本体（１）の前部上面に開口する第２開口（１２ｂ）とからなり、
ケース本体（１０）に対して蓋体（１１）が、第２開口（１２ｂ）を閉止する閉じ位置と、第２開口（１２ｂ）を開放する開き位置とにわたって前後スライド自在に支持されており、
ケース本体（１０）の側壁（１５）と蓋体（１１）との間に、蓋体（１１）が、前記閉じ位置において不用意にケース後方へスライド移動するのを規制するスライドロック（Ｓ）が設けられており、
ディスクカートリッジ（１）の外面に設けた凹部（６）と係合するロック体（３０）が、蓋体（１１）の脚壁（１９）に設けられており、
蓋体（１１）をスライドロック（Ｓ）の係合力に抗してケース後方へスライド操作することにより、ロック体（３０）と凹部（６）との係合状態が解除されることを特徴とするディスクカートリッジ用の収納ケース。
【請求項２】
ケース本体（１０）の側壁（１５）に、前後に長いガイド溝（２２）が形成されており、
蓋体（１１）の脚壁（１９）に、ガイド溝（２２）に沿って前後スライドする軸（２１）が突設されており、
蓋体（１１）が軸（２１）とガイド溝（２２）とを介してケース本体（１０）に連結されている請求項１記載のディスクカートリッジ用の収納ケース。
【請求項３】
蓋体（１１）の主面壁（１８）の上面に、蓋体（１１）の開放方向を示す開放表示（３４）が設けてある請求項１又は２記載のディスクカートリッジ用の収納ケース。  
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するための収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケースの左右側壁の内奥寄りには一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。
【０００３】
【発明が解決しようとする課題】
上記の収納ケースは、ケース内に収めたＭＤをロック体で係合保持して、ＭＤが自重で滑り出すのを防いでいる。そのため、ＭＤを取り出す際には、収納ケースとＭＤとを左右の手でつかんで、両者を引き離すように抜き出し操作しなければならず、例えば自動車の車内でのＭＤの取り出し操作が煩わしい。ＭＤを収納ケースに収める場合には、ＭＤの周側面を出入口と正しく正対した状態でケース内へ差し込む必要があるが、出入口の開口幅が５mm前後と狭いので、とくに薄暗い場所等ではＭＤを挿嵌し辛い。
【０００４】
本発明の目的は、収納ケースの出入口の構造を改良することによって、ディスクカートリッジの出し入れを簡便に行うにある。本発明の目的は、ディスクカートリッジの収納ケースからの取り出しが片手のみでも行えるようにすることにある。
【０００５】
【課題を解決するための手段】
本発明の収納ケースは、ケース本体１０と蓋体１１とからなり、ケース前部にディスクカートリッジ１の出入口１２が開口してある。出入口１２は、ケース前面で開口する第１開口１２ａと、第１開口１２ａに連続してケース上面に開口する第２開口１２ｂとからなる。蓋体１１は、第２開口１２ｂを開閉できるよう、ケース本体１０に前後スライド自在に支持する。ディスクカートリッジ１の外面に設けた凹部６と係合するロック体３０を有し、このロック体３０は蓋体１１の脚壁１９に設ける。蓋体１１の開放スライド動作に連動して、ロック体３０と凹部６との係合状態を解除できるようにする。
【０００６】
具体的には、ケース本体１０の側壁１５と蓋体１１との間に、蓋体１１の開放移動を規制するスライドロックＳを設ける。ケース本体１０の側壁１５に、前後に長いガイド溝２２を形成し、蓋体１１の脚壁１９に、ガイド溝２２に沿って前後スライドする軸２１を突設する。以て、蓋体１１を軸２１とガイド溝２２を介してケース本体１０に連結する。蓋体１１の主面壁１８の上面には、蓋体１１の開放方向を示す開放表示３４を設けることができる。
【０００７】
【作用】
出入口１２はケース本体１０の前面および上面で開口する第１開口１２ａと第２開口１２ｂとで形成して、出入口１２の開口構造を立体化し、同時に開口面積を増加させているので、ディスクカートリッジ１の出し入れが容易になる。蓋体１１をスライド開放した状態では、両開口１２ａ・１２ｂを介してケース本体１０の前部内面が露出するので、その左右の側壁１５や底壁１４を位置決め部材に利用して、これら両壁１４・１５にディスクカートリッジ１を当てがいながら挿嵌でき、例えば手さぐり状態でもディスクカートリッジ１を収納ケースに容易に収納できる。蓋体１１をスライド開放操作すると、ロック体３０と凹部６の係合状態が解除される。従って、蓋体１１をスライド開放した後は、例えば収納ケースの全体を傾斜させると、ディスクカートリッジ１が出入口１２から滑り出る。つまり、片手のみで蓋体１１を開放し、ディスクカートリッジ１を取り出せる。
【０００８】
ディスクカートリッジ１をケース内に収めた状態では、蓋体１１とディスクカートリッジ１とがロック体３０を介して一体化されている。また、ディスクカートリッジ１はケース本体１０の後壁１６でケース後方への移動が規制されている。従って、蓋体１１が開放位置側へ遊動スライドすることはない。しかし、他物との衝突等によってロック体３０の弾性力を越える外力が作用すると、蓋体１１は容易に開いてしまう。このように、意に反して蓋体１１が無闇にスライド開放するのを防ぐために、スライドロックＳを設けて蓋体１１の開放方向への移動を規制している。
【０００９】
【実施例】
図１ないし図５は本発明の実施例を示しており、これはＭＤ（ディスクカートリッジ）用の収納ケースに供するものである。図２においてＭＤ１は、光磁気ディスク２が薄角箱状のカートリッジケース３に収まっており、カートリッジケース３の上下両面の一側に開口した信号読み取り窓４をシャッター５でスライド開閉できる。カートリッジケース３の下ハーフの左右両側の後部には、位置決め用の凹部６が半長円状にそれぞれ凹設されている。
【００１０】
図２において、収納ケースはケース本体１０と蓋体１１とで内部に収納室が区画してある薄形角箱状のケースからなり、ケース前部にＭＤ１を出し入れする出入口１２が開口している。
【００１１】
図１においてケース本体１０は、底壁１４と、左右一対の側壁１５・１５と、底壁１４の後縁に立設した後壁１６とを一体に形成した、上面および前面が開口するプラスチック成形品からなる。後壁１６の左右両側には、蓋体１１の後方スライドを許す開口１７（図２参照）が切り欠き形成してある。蓋体１１は、ケース上面の開口を上面側から閉止する主面壁１８と、主面壁１８の左右両側の下面側に突設した左右一対の脚壁１９と、主面壁１８の後縁の左右両端から下方に突設した蓋後壁２０とを一体に形成したプラスチック成形品からなり、透明ないし半透明のプラスチック材で形成する。主面壁１８の上面一側には、図２に示すごとく蓋体１１の開放方向を示す開放表示３４を設ける。開放表示３４は主面壁１８と一体に成形した矢印形の微少突起からなり、その外形線内に滑り止め用の線刻部を設けた。
【００１２】
蓋体１１はケース本体１０に対して前後スライド自在に支持してあり、図２に示すように主面壁１８がケース上面の開口を閉止する閉じ位置と、図１に示すようにケース後方へスライドしてケース本体１０の前部上面（第２開口１２ｂ）を開放する開き位置とに変位できる。具体的には、蓋体１１の左右の脚壁１９の中途部の下端外面に軸２１をそれぞれ外向きに突設し、ケース本体１０の左右の側壁１５の後端下部にガイド溝２２を設け、このガイド溝２２で軸２１を受け入れ支持して、蓋体１１を前後スライド自在に支持する。図１に示すようにガイド溝２２は、側壁１５の内面に突設したリブ２３で区画する。ガイド溝２２の長さは、後述するロック体３３の装着位置との関係で規定しており、蓋体１１を開き位置までスライド開放したとき、ロック体３３がケース後方へ十分に突出できる長さに設定する。
【００１３】
図１に示すように、蓋体１１を開き位置までスライド開放した状態では、ケース本体１０の前部上面が開口する。この開口部とケース前面の開口とで出入口１２を形成する。以下、ケース前面の開口を第１開口１２ａと言い、ケース上面の開口を第２開口１２ｂと言う。第１開口１２ａの側からＭＤ１の抜き出しを行うとき、ＭＤ１をつまみやすくするために、底壁１４および主面壁１８の前縁中央に台形状の切欠部１３が設けてある。
【００１４】
閉じ位置において、蓋体１１が不用意にケース後方へスライド移動するのを規制するために、脚壁１９と左右の側壁１５との対向面間にスライドロックＳを設ける。図１および図３においてスライドロックＳは、主面壁１８の前部左右に突設した係合片２５と、係合片２５に対応して両側壁１５の内側面の前端上部に突設したロック壁２６とからなる。係合片２５の上面前端には、ロック壁２６に係合する突部２７を設ける。閉じ位置において、突部２７はロック壁２６の前面に下方から接当係合して、蓋体１１が後方へスライドするのを規制する。突部２７は係合片２５が弾性変形することでロック壁２６の下面をくぐり抜けることができ、この時点でスライドロックＳはロック解除状態に切り換わる。
【００１５】
収納ケースの取り扱い時にＭＤ１が収納ケースから滑落するのを防ぐために、蓋体１１の左右の脚壁１９にそれぞれロック体３０を設ける。図４においてロック体３０は、前後一対の係合爪３１を有するコ字枠状の基部３２と、基部３２の下部に連続する台形枠状の弾性腕３３とを一体に形成したプラスチック成形品からなり、係合爪３１を脚壁１９の取付穴に圧嵌係合して装着する。この装着状態において、弾性腕３３は脚壁１９の内側方に突出していて、図４に示すようにＭＤ１を収納ケースに装填した状態では、弾性腕３３が凹部６に外側方から係合できる。
【００１６】
以上のように構成した収納ケースは、ＭＤ１をケース内へ装填して、その凹部６がロック体３０の弾性腕３３と係合する状態で保管する。ＭＤ１を取り出す場合には、従来の収納ケースと同様に、収納ケースとＭＤ１を左右の手でつかんで、ＭＤ１をロック体３０の弾性に抗しながら抜き出すことができる。場合によっては、蓋体１１をスライドロックＳの係合力に抗してケース後方へスライド開放し、ロック体３０と凹部６の係合を解除したのちＭＤ１を取り出すことができる。この取り出し操作は、片方の手でのみでも行える。例えば、図５に示すように親指と他の四指とで収納ケースの上下面を挟持し、親指で開放表示３４を押さえて蓋体１１をケース後方へ押し出し、ロック体３０をケース本体１０後方外面へ突出させる。この状態で収納ケースの全体を傾けて、ＭＤ１を出入口１２から滑り出させるのである。
【００１７】
蓋体１１を開き位置にスライド開放した状態では、第１開口１２ａに加えてケース上面の第２開口１２ｂを開放でき、出入口１２の開口構造を立体化できる。しかも、ケース本体１０の前部内面が両開口１２ａ・１２ｂを介してケース外へ露出している。従って、ＭＤ１を収納ケースに収める場合には、ＭＤ１の姿勢や装填方向を特定する必要がなく、単にその装填端を底壁１４や側壁１５の前端に当てがうだけで、容易に挿嵌できる。ＭＤ１と共にケース内に収容されるインデックスカードの出し入れも容易に行える。
【００１８】
図６は収納ケースの別実施例を示す。そこでは、軸２１とロック体３０との間の脚壁１９に、底壁１４との接当干渉を避ける逆Ｖ字状の切欠３５を設けて、蓋体１１を開き位置までスライド開放した後、蓋体１１の全体が軸２１を中心にして上開き揺動できるようにした。この収納ケースによれば、必要に応じてケース本体１０の上面全体を開放できるので、最終組立工程においてインデックスカードやＭＤ１を収納ケースに容易に収容できる点で有利である。
【００１９】
上記以外に、蓋体１１を前後スライドのみ可能とする場合には、ガイド溝２２を側壁１５の中途部や前部寄りに形成することができる。ガイド溝２２は脚壁１９に形成し、軸２１を側壁１５に形成してもよい。蓋体１１の前後スライドストロークは大小に変更でき、少なくともロック体３０の弾性腕３３が凹部６の外へ退避できる量であればよい。このストローク最小状態では、開き位置における弾性腕３３がカートリッジケース３の周側面に圧接している。しかし、ＭＤ１を出入口１２の側へ引き寄せ操作し、あるいは収納ケースの全体を揺するだけで、簡単にケース外へ取り出せる。開放表示３４は印刷あるいはラベルを貼り付けて形成することができる。
【００２０】
【発明の効果】
本発明では、収納ケースの出入口１２をケース前面の第１開口１２ａと、ケース上面の第２開口１２ｂとで形成した。さらに蓋体１１をスライド操作して第２開口１２ｂを開放した状態において、蓋体１１の脚壁１９に設けたロック体３０が凹部６との係合状態を解除して、ケース内に収めたディスクカートリッジ１のロック体３０による拘束を解くようにした。従って、ディスクカートリッジ１の収納ケースに対する出し入れを簡便に行え、必要に応じて片手のみでディスクカートリッジ１の取り出しを容易に行える。スライドロックＳを付加した収納ケースによれば、例えば落下衝撃によって蓋体１１が開き位置へスライド開放するのを防止して、ケース内に収容したディスクカートリッジ１を確実に保護できる。
【図面の簡単な説明】
【図１】蓋体をスライド開放した状態の縦断側面図である。
【図２】収納ケースの一部を破断した平面図である。
【図３】図２におけるＡ−Ａ線断面図である。
【図４】図２におけるＢ−Ｂ線断面図である。
【図５】収納ケースの使用状態を示す斜視図である。
【図６】蓋体の開閉構造の別実施例を示す縦断側面図である。
【符号の説明】
１  ディスクカートリッジ
６  凹部
１０  ケース本体
１１  蓋体
１２  出入口
１２ａ  第１開口
１２ｂ  第２開口
１９  脚壁
３０  ロック体
Ｓ  スライドロック
【図１】
0003755682.tif 000002
【図２】
0003755682.tif 000003
【図３】
0003755682.tif 000004
【図４】
0003755682.tif 000005
【図５】
0003755682.tif 000006
【図６】
0003755682.tif 000007